(57)【特許請求の範囲】
【請求項１】
空型箱に豆乳を注入する充填工程と、型箱を先送りして凝固成型させる凝固工程と、型箱から凝固した豆腐を取り出す工程と、豆腐を取り出した空型箱を前記充填工程部位に送る循環移送工程を含む押し蓋の不要な豆腐製造ラインにおいて、豆腐を取り出した空型箱を前記充填工程部位に送るまでの間に、豆腐を取り出した空型箱を水又は温水のシャワーにより空型箱に残着した豆腐屑を大まかに除去する型箱屑取り工程と、屑取りした空型箱をアルカリ液槽に浸漬してアルカリ洗浄する型箱アルカリ洗浄工程と、アルカリ洗浄した空型箱を水又は温水のシャワーによって付着アルカリ液を大まかに除去する型箱アルカリ液除去工程と、付着アルカリ液を大まかに除去した空型箱を温水槽に浸漬する型箱脱アルカリ工程と、水シャワーにより空型箱に残着した洗浄温水を除去して冷却する型箱冷却工程を順に設けて成り、豆腐の取り出しで順次送られてくる空型箱をその都度洗浄して豆腐製造ラインに送ることを特徴とする豆腐成形稼働中における空型箱の洗浄方法。
【請求項２】
空型箱に豆乳を注入する充填工程と、型箱に押し蓋を被着して凝固成型させる凝固工程と、押し蓋を除いた型箱から凝固した豆腐を取り出す工程と、豆腐を取り出した空型箱及び押し蓋を夫々前記充填工程部位に送る循環移送工程を含む豆腐製造ラインにおいて、豆腐を取り出した空型箱を前記充填工程部位に送るまでの間に、豆腐を取り出した空型箱を水又は温水のシャワーにより空型箱に残着した豆腐屑を大まかに除去する型箱屑取り工程と、屑取りした空型箱をアルカリ液槽に浸漬してアルカリ洗浄する型箱アルカリ洗浄工程と、アルカリ洗浄した空型箱を水又は温水のシャワーによって付着アルカリ液を大まかに除去する型箱アルカリ液除去工程と、付着アルカリ液を大まかに除去した空型箱を温水槽に浸漬する型箱脱アルカリ工程と、水シャワーにより空型箱に残着した洗浄温水を除去して冷却する型箱冷却工程とを順に設けると共に、その空型箱の洗浄ラインとは別のラインで豆腐を取り出した空型箱の押し蓋を前記充填工程部位に送るまでの間に、水又は温水のシャワーにより押し蓋に残着した豆腐屑を大まかに除去する押し蓋屑取り工程と、屑取りした押し蓋をアルカリ液槽に浸漬してアルカリ洗浄する押し蓋アルカリ洗浄工程と、アルカリ洗浄した押し蓋を水又は温水のシャワーによって付着アルカリ液を大まかに除去するアルカリ液除去工程と、付着アルカリ液を大まかに除去した押し蓋を温水槽に浸漬する脱アルカリ工程と、水シャワーにより押し蓋に残着した洗浄温水を除去して冷却する押し蓋冷却工程とを順に設けて成り、豆腐の取り出しで順次送られてくる空型箱及び押し蓋をその都度洗浄して豆腐製造ラインに送ることを特徴とする豆腐成形稼働中における空型箱の洗浄方法。
【請求項３】
押し蓋を水平状態として押し蓋屑取り工程及びアルカリ液除去工程を施し、押し蓋を垂直状態に保持して押し蓋アルカリ洗浄工程及び脱アルカリ工程を施すことを特徴とする請求項２記載の洗浄方法。
【発明の詳細な説明】
【０００１】
【発明の属する技術分野】
本発明は、豆腐製造ライン稼働中において、豆腐の取り出しで順次送られる豆腐の空型箱をその都度洗浄して豆腐製造ラインに送る洗浄方法に関するものである。
【０００２】
【従来の技術】
従来、豆腐の空型箱は、全体的に豆腐の製造が終了した後でまとめて洗浄していたが、これによると多数の型箱が必要となると共に、ラインへの型箱の搬入工程に際して多数の型箱のセットが必要となって手間がかかり、さらに豆腐製造から洗浄までに相当の時間を要することから迅速に終了できない問題点があった。
【０００３】
【発明が解決しようとする課題】
そこで本発明は、豆腐製造ライン稼働中に空型箱をその都度洗浄して循環再使用することで迅速且つ容易に豆腐製造を終了できる型箱の洗浄システムを提供するものである。
【０００４】
【課題を解決するための手段】
このため本発明の請求項１は、空型箱に豆乳を注入する充填工程と、型箱を先送りして凝固成型させる凝固工程と、型箱から凝固した豆腐を取り出す工程と、豆腐を取り出した空型箱を前記充填工程部位に送る循環移送工程を含む押し蓋の不要な豆腐製造ラインにおいて、豆腐を取り出した空型箱を前記充填工程部位に送るまでの間に、豆腐を取り出した空型箱を水又は温水のシャワーにより空型箱に残着した豆腐屑を大まかに除去する型箱屑取り工程と、屑取りした空型箱をアルカリ液槽に浸漬してアルカリ洗浄する型箱アルカリ洗浄工程と、アルカリ洗浄した空型箱を水又は温水のシャワーによって付着アルカリ液を大まかに除去する型箱アルカリ液除去工程と、付着アルカリ液を大まかに除去した空型箱を温水槽に浸漬する型箱脱アルカリ工程と、水シャワーにより空型箱に残着した洗浄温水を除去して冷却する型箱冷却工程を順に設けて成り、豆腐の取り出しで順次送られてくる空型箱をその都度洗浄して豆腐製造ラインに送ることを特徴とする豆腐成形稼働中における空型箱の洗浄方法である。
【０００５】
また請求項２は、空型箱に豆乳を注入する充填工程と、型箱に押し蓋を被着して凝固成型させる凝固工程と、押し蓋を除いた型箱から凝固した豆腐を取り出す工程と、豆腐を取り出した空型箱及び押し蓋を夫々前記充填工程部位に送る循環移送工程を含む豆腐製造ラインにおいて、豆腐を取り出した空型箱を前記充填工程部位に送るまでの間に、豆腐を取り出した空型箱を水又は温水のシャワーにより空型箱に残着した豆腐屑を大まかに除去する型箱屑取り工程と、屑取りした空型箱をアルカリ液槽に浸漬してアルカリ洗浄する型箱アルカリ洗浄工程と、アルカリ洗浄した空型箱を水又は温水のシャワーによって付着アルカリ液を大まかに除去する型箱アルカリ液除去工程と、付着アルカリ液を大まかに除去した空型箱を温水槽に浸漬する型箱脱アルカリ工程と、水シャワーにより空型箱に残着した洗浄温水を除去して冷却する型箱冷却工程とを順に設けると共に、その空型箱の洗浄ラインとは別のラインで豆腐を取り出した空型箱の押し蓋を前記充填工程部位に送るまでの間に、水又は温水のシャワーにより押し蓋に残着した豆腐屑を大まかに除去する押し蓋屑取り工程と、屑取りした押し蓋をアルカリ液槽に浸漬してアルカリ洗浄する押し蓋アルカリ洗浄工程と、アルカリ洗浄した押し蓋を水又は温水のシャワーによって付着アルカリ液を大まかに除去するアルカリ液除去工程と、付着アルカリ液を大まかに除去した押し蓋を温水槽に浸漬する脱アルカリ工程と、水シャワーにより押し蓋に残着した洗浄温水を除去して冷却する押し蓋冷却工程とを順に設けて成り、豆腐の取り出しで順次送られてくる空型箱及び押し蓋をその都度洗浄して豆腐製造ラインに送ることを特徴とする豆腐成形稼働中における空型箱の洗浄方法である。
なお、この場合、押し蓋を水平状態として押し蓋屑取り工程及びアルカリ液除去工程を施し、押し蓋を垂直状態に保持して押し蓋アルカリ洗浄工程及び脱アルカリ工程を施してもよい。
【０００６】
【発明の実施の形態】
以下、本発明の詳細を図示形態例を参照しながら説明する。まず図１乃至図３で示す木綿豆腐製造に用いる形態例は、豆腐製造ラインＡと、空型箱の洗浄ラインＢと、押し蓋の洗浄ラインＣと、型箱のストックラインＤとから成り、豆腐製造ラインＡと空型箱の洗浄ラインＢとを並列配置すると共に、豆腐製造ラインＡの上に押し蓋の洗浄ラインＣ、空型箱の洗浄ラインＢの上に型箱のストックラインＤを配置した二列二段式の装置である。なお、使用する豆腐の型箱は、図４のように、上面が開口した型箱１と押し蓋２とから成り、型箱１と押し蓋２とに無数の微孔が透設してある。
【０００７】
そして、豆腐製造ラインＡの前側端部には、空型箱の洗浄ラインＢの後端部に空型箱１を送る移送手段を連結すると共に、上段の押し蓋洗浄ラインＣの後端部に押し蓋２を送る移送手段を連結している。また、豆腐製造ラインＡの後側端部と空型箱の洗浄ラインＢの前端部には洗浄された空型箱１を豆腐製造ラインＡに送る移送手段を連結すると共に、豆腐製造ラインＡの後側端部と押し蓋の洗浄ラインＣの前端部には洗浄された押し蓋２を豆腐製造ラインＡに送る移送手段を連結している。
【０００８】
なお、豆腐製造ラインＡには、空型箱内に凝固剤を添加した豆乳を注入する充填工程と、型箱１に押し蓋２を被着する押し蓋被着工程と、押し蓋２をプレスして凝固剤入り豆乳を凝固成型させる凝固工程と、型箱１から押し蓋２を外す押し蓋外し工程と、型箱１から凝固した豆腐を取り出す工程とを備えている。図１の豆腐製造ラインＡには押し蓋２をシリンダ装置Ｐで昇降するロッドＰａで押圧して凝固剤入り豆乳を凝固成型させる凝固工程を図示し、その他の工程は図示を省略している。
【０００９】
本形態例で特徴あることは、空型箱の洗浄ラインＢと押し蓋の洗浄ラインＣとを設けて洗浄した空型箱１及び押し蓋２を豆腐製造ラインＡに送って循環使用することである。空型箱の洗浄ラインＢは、図２のように、移送手段により豆腐製造ラインＡで押し蓋２を外して送られた空型箱１は、後端部に配置された水受け部３０にてまずシャワー装置３１による水又は温水の吹き付けにより空型箱１に残着した豆腐屑を大まかに除去する型箱屑取り工程が施される。
【００１０】
ついで屑取りした空型箱１をアルカリ液槽３２に送りアルカリ液中に浸漬して型箱１に付着した豆腐タンパク、特に微孔部に付着した豆腐タンパクを洗浄除去する型箱アルカリ洗浄工程を施し、アルカリ洗浄した空型箱１を水受け部３３に送ってシャワー装置３４による水又は温水の吹き付けで空型箱１に付着したアルカリ液を大まかに除去する型箱アルカリ液除去工程を施す。
【００１１】
ついで、空型箱１を温水槽３５に送り約８０゜Ｃの温水に１５〜２０分浸漬して空型箱１に付着したアルカリ液、特に微孔部に付着したアルカリを除去する脱アルカリ工程を施し、脱アルカリした空型箱１をさらに前端に配置した水受け部３６に送りシャワー装置３７による水の吹き付けにより空型箱１に残着した洗浄温水を除去して冷却する型箱冷却工程を施す。
【００１２】
そして、洗浄された空型箱１を移送手段により豆腐製造ラインＡの後端に送って型箱１を循環使用するのである。なお、アルカリ液槽３２と温水槽３５への型箱１の浸漬及び取り出しは夫々の前後に配したシリンダ装置４０，４１を作動し型箱１を保持したロッドの昇降で行うのである。また、水受け部３０、アルカリ液槽３２、水受け部３３、温水槽３５及び水受け部３６に夫々設けられたチエンコンベヤ装置４で型箱１が順次前に送られるのである。
【００１３】
押し蓋の洗浄ラインＣは、図１のように、移送手段により豆腐製造ラインＡから移送された押し蓋２は、後端部に配置された水受け部５０にてまずシャワー装置５１による水又は温水の吹き付けにより押し蓋２に残着した豆腐屑を大まかに除去する押し蓋屑取り工程が施される。
【００１４】
ついで屑取りした押し蓋２を起立装置６０にて垂直に起立させてアルカリ液槽５２に送りアルカリ液中に浸漬して押し蓋２に付着した豆腐タンパク、特に微孔部に付着した豆腐タンパクを洗浄除去する押し蓋アルカリ洗浄工程を施す。アルカリ洗浄した押し蓋２は平伏装置６１によってアルカリ液槽５２から出されて水受け部５３に水平状態で送られ、シャワー装置５４による水又は温水の吹き付けで押し蓋２に付着したアルカリ液を大まかに除去する押し蓋アルカリ液除去工程を施す。
【００１５】
ついで押し蓋２を起立装置６０にて垂直に起立させて温水槽５５に送り、約８０゜Ｃの温水に１０〜１５分浸漬して押し蓋２に付着したアルカリ液、特に微孔部に付着したアルカリを除去する脱アルカリ工程を施し、平伏装置６１によって温水槽５５から出されて水受け部５６に水平状態で送られシャワー装置５７による水の吹き付けにより押し蓋２に残着した洗浄温水を完全に除去して冷却する押し蓋冷却工程を施す。そして、洗浄された押し蓋２を移送手段により豆腐製造ラインＡの後端に送り、豆乳を充填した型箱１に被着して循環使用するのである。
【００１６】
なお、起立装置６０の作用は、図示しないが、押し蓋２の両側端面の片側寄りに設けた係止孔に吊下アームを両側から引っ掛けて押し蓋２を吊り下げることで自重により押し蓋２が起立し、平伏装置６１の作用は、起立している押し蓋２の係止孔に吊下アームを両側から引っ掛けて押し蓋２を吊り下げ、平伏装置６１を前に移動して斜めガイドに接地させることで次第に水平状態となるのである。また、水受け部５０、アルカリ液槽５２、水受け部５３、温水槽５５及び水受け部５６に夫々設けられたチエンコンベヤ装置７で押し蓋２が順次前に送られるのである。これらの各ラインでの各工程は間欠的に行われるのである。この際、起立した押し蓋２はガイドにより保持されて前送りされるのである。
【００１７】
このように本形態例の木綿豆腐製造によると、豆腐の取り出しで順次送られてくる空型箱１及び押し蓋２をその都度洗浄して豆腐製造ラインに送り循環使用されるため、空型箱１及び押し蓋２の余分なストックの必要がなく、迅速に豆腐製造を終了できるのである。また、特に押圧で目詰まりし易い押し蓋２を起立させた状態でアルカリ液槽５２及び温水槽５５で洗浄できることから限られたスペースで長い時間有効に浸漬洗浄できるのである。
【００１８】
次ぎに、図５及び図６で示す絹ごし豆腐製造に用いる形態例を説明すると、は、豆腐製造ラインＡの下段に空型箱の洗浄ラインＥを配置したものであり、使用する豆腐の型箱は、図７のように、上面が開口した型箱１で無数の微孔が透設してある。
【００１９】
そして、豆腐製造ラインＡの前側端部には、空型箱の洗浄ラインＥの後端部に空型箱１を送る移送手段を連結すると共に、豆腐製造ラインＡの後側端部と空型箱の洗浄ラインＥの前端部には洗浄された空型箱１を豆腐製造ラインＡに送る移送手段を連結している。なお、豆腐製造ラインＡには、空型箱内に凝固剤及び豆乳を注入する充填工程と、空型箱内の凝固剤及び豆乳を撹拌する撹拌工程と、凝固剤入り豆乳を凝固成型させる凝固工程と、型箱１から凝固した豆腐を取り出す工程とを備えている。
【００２０】
本形態例で特徴あることは、空型箱の洗浄ラインＥを設けて洗浄した空型箱１を豆腐製造ラインＡに送って循環使用することである。空型箱の洗浄ラインＥは、図６のように、移送手段により豆腐製造ラインＡから豆腐を取り出して送られた空型箱１は、下段の後端部に配置された水受け部７０にてまずシャワー装置７１による水又は温水の吹き付けにより空型箱１に残着した豆腐屑を大まかに除去する型箱屑取り工程が施される。
【００２１】
ついで屑取りした空型箱１をアルカリ液槽７２に送りアルカリ液中に浸漬して型箱１に付着した豆腐タンパク、特に微孔部に付着した豆腐タンパクを洗浄除去する型箱アルカリ洗浄工程を施し、アルカリ洗浄した空型箱１を水受け部７３に送ってシャワー装置７４による水又は温水の吹き付けで空型箱１に付着したアルカリ液を大まかに除去する型箱アルカリ液除去工程を施す。
【００２２】
ついで、空型箱１を温水槽７５に送り約８０゜Ｃの温水に１５〜２０分浸漬して空型箱１に付着したアルカリ液、特に微孔部に付着したアルカリを除去する脱アルカリ工程を施し、脱アルカリした空型箱１をさらに前端に配置した水受け部７６に送りシャワー装置７７による水の吹き付けにより空型箱１に残着した洗浄温水を完全に除去して冷却する型箱冷却工程を施す。
【００２３】
そして、洗浄された空型箱１を移送手段により豆腐製造ラインＡの後端に送って型箱１を循環使用するのである。なお、アルカリ液槽７２と温水槽７５への型箱１の浸漬及び取り出しは夫々の前後に配したシリンダ装置８０，８１を作動し型箱１を保持したロッドの昇降で行うのである。また、水受け部７０、アルカリ液槽７２、水受け部７３、温水槽７５及び水受け部７６に夫々設けられたチエンコンベヤ装置９で型箱１が順次前に送られるのである。これらの各ラインでの各工程は間欠的に行われるのである。
【００２４】
このように本形態例の絹ごし豆腐製造によると、豆腐の取り出しで順次送られてくる空型箱１をその都度洗浄して豆腐製造ラインに送り循環使用されるため、空型箱１の余分なストックの必要がなく、迅速に豆腐製造を終了できるのである。
【００２５】
本形態例は夫々上記のような工程としたが、本発明においてはこれに限定されない。例えば、豆腐の型箱としては押し蓋の有無や構成を問わず、押し蓋の不要な型箱の豆腐製造ラインにあっては、豆乳を注入する充填工程と、型箱を先送りして凝固成型させる凝固工程と、型箱から凝固した豆腐を取り出す工程と、豆腐を取り出した空型箱を前記充填工程部位に送る循環移送工程を含んでいればよい。また、押し蓋を要する豆腐製造ラインでは、空型箱に豆乳を注入する充填工程と、型箱に押し蓋を被着して凝固成型させる凝固工程と、押し蓋を除いた型箱から凝固した豆腐を取り出す工程と、豆腐を取り出した空型箱及び押し蓋を夫々前記充填工程部位に送る循環移送工程を含んでいればよい。
【００２６】
さらに、洗浄ラインにおける空型箱又は押し蓋の送り手段も適宜であり、洗浄ラインから豆腐製造ライン空型箱又は押し蓋の移送手段も任意である。なお、洗浄ラインにおける空型箱又は押し蓋のアルカリ液槽及び温水槽への浸漬及び取り出しの装置も限定されず、押し蓋の起立装置及び平伏装置の構成も問わない。また空型箱又は押し蓋のアルカリ液槽及び温水槽への浸漬時間やその液温も限定されない。
【００２７】
【発明の効果】
本発明の請求項１によると、豆腐の取り出しで順次送られてくる空型箱をその都度洗浄殺菌して豆腐製造ラインに送り循環使用できるため空型箱の余分なストックの必要がなく、迅速に豆腐製造を終了できるのである。また請求項２によると、豆腐の取り出しで順次送られてくる空型箱及び押し蓋をその都度洗浄殺菌して豆腐製造ラインに送り循環使用されるため、空型箱及び押し蓋の余分なストックの必要がなく、迅速に豆腐製造を終了できるのである。請求項３では、特に押圧脱水で目詰まりし易い押し蓋を起立させた状態でアルカリ液槽及び温水槽で洗浄できることから限られたスペースで長い時間有効に浸漬洗浄できるのである。
【図面の簡単な説明】
【図１】木綿豆腐製造の形態例で豆腐製造ラインと押し蓋の洗浄ラインを示す一部切欠した概略的な要部縦断側面図である。
【図２】その空型箱の洗浄ラインと空型箱のストックラインを示す一部切欠した概略的な要部縦断側面図である。
【図３】その概略的な縦断正面図である。
【図４】押し蓋を有する木綿豆腐用の型箱の斜視図である。
【図５】絹ごし豆腐製造の形態例を示す一部切欠した概略的な要部縦断側面図である。
【図６】その概略的な拡大縦断正面図である。
【図７】その絹ごし豆腐用の型箱の斜視図である。
【符号の説明】
Ａ    豆腐製造ライン
Ｂ，Ｅ  空型箱の洗浄ライン
Ｃ    押し蓋の洗浄ライン
１  型箱
２  押し蓋
３０，３３，３６，５０，５３，５６，７０，７３，７６  水受け部
３１，３４，３７，５１，５４，５７，７１，７４，７７  シャワー装置
３２，５２，７２  アルカリ液槽
３５，５５，７５  温水槽
４，７，９  コンベヤ装置
４０，４１，８０，８１  シリンダ装置
６０  起立装置
６１  平伏装置
【図１】
0003798137.tif 000002
【図２】
0003798137.tif 000003
【図３】
0003798137.tif 000004
【図４】
0003798137.tif 000005
【図５】
0003798137.tif 000006
【図６】
0003798137.tif 000007
【図７】
0003798137.tif 000008